(57)【特許請求の範囲】
【請求項１】
収納棚の棚本体に対して開閉可能に取り付けられる収納棚用扉であって、
金属製の網板で構成された扉本体と、金属板を折曲げ加工して形成されると共に前記扉本体の左端部に取り付けられて当該収納棚用扉における左側の小口を構成する左小口構成部材と、金属板を折曲げ加工して形成されると共に前記扉本体の右端部に取り付けられて当該収納棚用扉における右側の小口を構成する右小口構成部材とを備えて、前記左小口構成部材、前記扉本体および前記右小口構成部材が正面視において左側からこの順で並んだ状態で一体化され、
前記左小口構成部材および前記右小口構成部材は、取付け状態において前記扉本体における当該収納棚用扉の正面側に配置される正面パネルと、当該収納棚用扉の裏面側に向かって当該正面パネルの上辺から延出する上端面パネルと、前記裏面側に向かって当該正面パネルの下辺から延出する下端面パネルと、前記裏面側に向かって当該正面パネルの左辺から延出する左端面パネルと、前記裏面側に向かって当該正面パネルの右辺から延出する右端面パネルとをそれぞれ備えると共に、
前記上端面パネルにおける前記裏面側の一辺には、前記正面パネルに対して平行な折返し部が下側に向かって延出するように設けられ、
前記下端面パネルにおける前記裏面側の一辺には、前記正面パネルに対して平行な折返し部が上側に向かって延出するように設けられ、
前記左端面パネルにおける前記裏面側の一辺には、前記正面パネルに対して平行な折返し部が右側に向かって延出するように設けられ、
前記右端面パネルにおける前記裏面側の一辺には、前記正面パネルに対して平行な折返し部が左側に向かって延出するように設けられ、
前記左小口構成部材は、前記上端面パネル、前記下端面パネルおよび前記左端面パネルにそれぞれ設けられた前記折返し部における前記正面側の表面と、前記右端面パネルに設けられた前記折返し部における前記裏面側の表面とが、前記扉本体の厚みと等しい距離だけ当該収納棚用扉の厚み方向に沿って離間するように、前記上端面パネル、前記下端面パネルおよび前記左端面パネルよりも前記右端面パネルが細幅に形成され、
前記右小口構成部材は、前記上端面パネル、前記下端面パネルおよび前記右端面パネルにそれぞれ設けられた前記折返し部における前記正面側の表面と、前記左端面パネルに設けられた前記折返し部における前記裏面側の表面とが、前記扉本体の厚みと等しい距離だけ当該収納棚用扉の厚み方向に沿って離間するように、前記上端面パネル、前記下端面パネルおよび前記右端面パネルよりも前記左端面パネルが細幅に形成され、
前記扉本体は、前記正面側に向かって折り曲げられた折曲げ部が前記左端部および前記右端部の双方にそれぞれ形成されると共に、前記左端部に形成されている前記折曲げ部の先端が、前記左小口構成部材の前記正面パネルにおける前記裏面側の表面に当接し、かつ、前記右端部に形成されている前記折曲げ部の先端が、前記右小口構成部材の前記正面パネルにおける前記裏面側の表面に当接するように構成されると共に、前記左小口構成部材の前記上端面パネル、前記下端面パネルおよび前記左端面パネルにそれぞれ設けられた前記折返し部と当該左小口構成部材の前記右端面パネルに設けられた前記折返し部との間に前記左端部を差し込まれた状態において当該右端面パネルに設けられた当該折返し部に対して固着され、かつ前記右小口構成部材の前記上端面パネル、前記下端面パネルおよび前記右端面パネルにそれぞれ設けられた前記折返し部と当該右小口構成部材の前記左端面パネルに設けられた前記折返し部との間に前記右端部を差し込まれた状態において当該左端面パネルに設けられた当該折返し部に対して固着されている収納棚用扉。
【請求項２】
前記扉本体は、前記左小口構成部材および前記右小口構成部材の間に位置する部位が前記正面側に向かって突出するように平面視凸状に形成されている請求項１記載の収納棚用扉。
【請求項３】
収納棚の棚本体に対して開閉可能に取り付けられる収納棚用扉であって、
金属製の網板で構成された扉本体と、金属板を折曲げ加工して形成されると共に前記扉本体の左端部に取り付けられて当該収納棚用扉における左側の小口を構成する左小口構成部材と、金属板を折曲げ加工して形成されると共に前記扉本体の右端部に取り付けられて当該収納棚用扉における右側の小口を構成する右小口構成部材とを備えて、前記左小口構成部材、前記扉本体および前記右小口構成部材が正面視において左側からこの順で並んだ状態で一体化され、
前記左小口構成部材および前記右小口構成部材は、取付け状態において前記扉本体における当該収納棚用扉の正面側に配置される正面パネルと、当該収納棚用扉の裏面側に向かって当該正面パネルの上辺から延出する上端面パネルと、前記裏面側に向かって当該正面パネルの下辺から延出する下端面パネルと、前記裏面側に向かって当該正面パネルの左辺から延出する左端面パネルと、前記裏面側に向かって当該正面パネルの右辺から延出する右端面パネルとをそれぞれ備えると共に、
前記上端面パネルにおける前記裏面側の一辺には、前記正面パネルに対して平行な折返し部が下側に向かって延出するように設けられ、
前記下端面パネルにおける前記裏面側の一辺には、前記正面パネルに対して平行な折返し部が上側に向かって延出するように設けられ、
前記左端面パネルにおける前記裏面側の一辺には、前記正面パネルに対して平行な折返し部が右側に向かって延出するように設けられ、
前記右端面パネルにおける前記裏面側の一辺には、前記正面パネルに対して平行な折返し部が左側に向かって延出するように設けられ、
前記左小口構成部材は、前記上端面パネル、前記下端面パネルおよび前記左端面パネルにそれぞれ設けられた前記折返し部における前記正面側の表面と、前記右端面パネルに設けられた前記折返し部における前記裏面側の表面とが、前記扉本体の厚みと等しい距離だけ当該収納棚用扉の厚み方向に沿って離間するように、前記上端面パネル、前記下端面パネルおよび前記左端面パネルよりも前記右端面パネルが細幅に形成され、
前記右小口構成部材は、前記上端面パネル、前記下端面パネルおよび前記右端面パネルにそれぞれ設けられた前記折返し部における前記正面側の表面と、前記左端面パネルに設けられた前記折返し部における前記裏面側の表面とが、前記扉本体の厚みと等しい距離だけ当該収納棚用扉の厚み方向に沿って離間するように、前記上端面パネル、前記下端面パネルおよび前記右端面パネルよりも前記左端面パネルが細幅に形成され、
前記扉本体は、前記左小口構成部材および前記右小口構成部材の間に位置する部位が前記正面側に向かって突出するように平面視凸状に形成されると共に、前記左小口構成部材の前記上端面パネル、前記下端面パネルおよび前記左端面パネルにそれぞれ設けられた前記折返し部と当該左小口構成部材の前記右端面パネルに設けられた前記折返し部との間に前記左端部を差し込まれた状態において当該右端面パネルに設けられた当該折返し部に対して固着され、かつ前記右小口構成部材の前記上端面パネル、前記下端面パネルおよび前記右端面パネルにそれぞれ設けられた前記折返し部と当該右小口構成部材の前記左端面パネルに設けられた前記折返し部との間に前記右端部を差し込まれた状態において当該左端面パネルに設けられた当該折返し部に対して固着されている収納棚用扉。
【請求項４】
収納棚の棚本体に対して開閉可能に取り付けられる収納棚用扉であって、
金属製の網板で構成された扉本体と、金属板を折曲げ加工して形成されると共に前記扉本体の上端部に取り付けられて当該収納棚用扉における上側の小口を構成する上小口構成部材と、金属板を折曲げ加工して形成されると共に前記扉本体の下端部に取り付けられて当該収納棚用扉における下側の小口を構成する下小口構成部材とを備えて、前記上小口構成部材、前記扉本体および前記下小口構成部材が正面視において上側からこの順で並んだ状態で一体化され、
前記上小口構成部材および前記下小口構成部材は、取付け状態において前記扉本体における当該収納棚用扉の正面側に配置される正面パネルと、当該収納棚用扉の裏面側に向かって当該正面パネルの上辺から延出する上端面パネルと、前記裏面側に向かって当該正面パネルの下辺から延出する下端面パネルと、前記裏面側に向かって当該正面パネルの左辺から延出する左端面パネルと、前記裏面側に向かって当該正面パネルの右辺から延出する右端面パネルとをそれぞれ備えると共に、
前記上端面パネルにおける前記裏面側の一辺には、前記正面パネルに対して平行な折返し部が下側に向かって延出するように設けられ、
前記下端面パネルにおける前記裏面側の一辺には、前記正面パネルに対して平行な折返し部が上側に向かって延出するように設けられ、
前記左端面パネルにおける前記裏面側の一辺には、前記正面パネルに対して平行な折返し部が右側に向かって延出するように設けられ、
前記右端面パネルにおける前記裏面側の一辺には、前記正面パネルに対して平行な折返し部が左側に向かって延出するように設けられ、
前記上小口構成部材は、前記上端面パネル、前記左端面パネルおよび前記右端面パネルにそれぞれ設けられた前記折返し部における前記正面側の表面と、前記下端面パネルに設けられた前記折返し部における前記裏面側の表面とが、前記扉本体の厚みと等しい距離だけ当該収納棚用扉の厚み方向に沿って離間するように、前記上端面パネル、前記左端面パネルおよび前記右端面パネルよりも前記下端面パネルが細幅に形成され、
前記下小口構成部材は、前記下端面パネル、前記左端面パネルおよび前記右端面パネルにそれぞれ設けられた前記折返し部における前記正面側の表面と、前記上端面パネルに設けられた前記折返し部における前記裏面側の表面とが、前記扉本体の厚みと等しい距離だけ当該収納棚用扉の厚み方向に沿って離間するように、前記下端面パネル、前記左端面パネルおよび前記右端面パネルよりも前記上端面パネルが細幅に形成され、
前記扉本体は、前記正面側に向かって折り曲げられた折曲げ部が前記上端部および前記下端部の双方にそれぞれ形成されると共に、前記上端部に形成されている前記折曲げ部の先端が、前記上小口構成部材の前記正面パネルにおける前記裏面側の表面に当接し、かつ、前記下端部に形成されている前記折曲げ部の先端が、前記下小口構成部材の前記正面パネルにおける前記裏面側の表面に当接するように構成されると共に、前記上小口構成部材の前記上端面パネル、前記左端面パネルおよび前記右端面パネルにそれぞれ設けられた前記折返し部と当該上小口構成部材の前記下端面パネルに設けられた前記折返し部との間に前記上端部を差し込まれた状態において当該下端面パネルに設けられた当該折返し部に対して固着され、かつ前記下小口構成部材の前記下端面パネル、前記左端面パネルおよび前記右端面パネルにそれぞれ設けられた前記折返し部と当該下小口構成部材の前記上端面パネルに設けられた前記折返し部との間に前記下端部を差し込まれた状態において当該上端面パネルに設けられた当該折返し部に対して固着されている収納棚用扉。
【請求項５】
前記扉本体は、前記上小口構成部材および前記下小口構成部材の間に位置する部位が前記正面側に向かって突出するように側面視凸状に形成されている請求項４記載の収納棚用扉。
【請求項６】
収納棚の棚本体に対して開閉可能に取り付けられる収納棚用扉であって、
金属製の網板で構成された扉本体と、金属板を折曲げ加工して形成されると共に前記扉本体の上端部に取り付けられて当該収納棚用扉における上側の小口を構成する上小口構成部材と、金属板を折曲げ加工して形成されると共に前記扉本体の下端部に取り付けられて当該収納棚用扉における下側の小口を構成する下小口構成部材とを備えて、前記上小口構成部材、前記扉本体および前記下小口構成部材が正面視において上側からこの順で並んだ状態で一体化され、
前記上小口構成部材および前記下小口構成部材は、取付け状態において前記扉本体における当該収納棚用扉の正面側に配置される正面パネルと、当該収納棚用扉の裏面側に向かって当該正面パネルの上辺から延出する上端面パネルと、前記裏面側に向かって当該正面パネルの下辺から延出する下端面パネルと、前記裏面側に向かって当該正面パネルの左辺から延出する左端面パネルと、前記裏面側に向かって当該正面パネルの右辺から延出する右端面パネルとをそれぞれ備えると共に、
前記上端面パネルにおける前記裏面側の一辺には、前記正面パネルに対して平行な折返し部が下側に向かって延出するように設けられ、
前記下端面パネルにおける前記裏面側の一辺には、前記正面パネルに対して平行な折返し部が上側に向かって延出するように設けられ、
前記左端面パネルにおける前記裏面側の一辺には、前記正面パネルに対して平行な折返し部が右側に向かって延出するように設けられ、
前記右端面パネルにおける前記裏面側の一辺には、前記正面パネルに対して平行な折返し部が左側に向かって延出するように設けられ、
前記上小口構成部材は、前記上端面パネル、前記左端面パネルおよび前記右端面パネルにそれぞれ設けられた前記折返し部における前記正面側の表面と、前記下端面パネルに設けられた前記折返し部における前記裏面側の表面とが、前記扉本体の厚みと等しい距離だけ当該収納棚用扉の厚み方向に沿って離間するように、前記上端面パネル、前記左端面パネルおよび前記右端面パネルよりも前記下端面パネルが細幅に形成され、
前記下小口構成部材は、前記下端面パネル、前記左端面パネルおよび前記右端面パネルにそれぞれ設けられた前記折返し部における前記正面側の表面と、前記上端面パネルに設けられた前記折返し部における前記裏面側の表面とが、前記扉本体の厚みと等しい距離だけ当該収納棚用扉の厚み方向に沿って離間するように、前記下端面パネル、前記左端面パネルおよび前記右端面パネルよりも前記上端面パネルが細幅に形成され、
前記扉本体は、前記上小口構成部材および前記下小口構成部材の間に位置する部位が前記正面側に向かって突出するように側面視凸状に形成されると共に、前記上小口構成部材の前記上端面パネル、前記左端面パネルおよび前記右端面パネルにそれぞれ設けられた前記折返し部と当該上小口構成部材の前記下端面パネルに設けられた前記折返し部との間に前記上端部を差し込まれた状態において当該下端面パネルに設けられた当該折返し部に対して固着され、かつ前記下小口構成部材の前記下端面パネル、前記左端面パネルおよび前記右端面パネルにそれぞれ設けられた前記折返し部と当該下小口構成部材の前記上端面パネルに設けられた前記折返し部との間に前記下端部を差し込まれた状態において当該上端面パネルに設けられた当該折返し部に対して固着されている収納棚用扉。
【請求項７】
前記扉本体の前記裏面側に板部材が取外し可能に取り付けられている請求項１から６のいずれかに記載の収納棚用扉。
【請求項８】
請求項１から７のいずれかに記載の収納棚用扉が前記棚本体に対して開閉可能に取り付けられている収納棚。
【発明の詳細な説明】
【技術分野】
【０００１】
本発明は、収納棚の棚本体に対して開閉可能に取り付けられる収納棚用扉、および棚本体に対して収納棚用扉が開閉可能に取り付けられた収納棚に関するものである。
【背景技術】
【０００２】
例えば、実開平６−２１４３３号公報に開示されているスキー靴ロッカー（以下、単に「ロッカー」ともいう）は、スキー靴を載置可能な複数の棚板を有するロッカー本体に複数の扉が開閉可能に取り付けられて構成されている。この場合、このロッカーでは、一足のスキー靴を収納する収納空間の上下方向の高さ（すなわち、上側の棚板と下側の棚板との離間距離）よりも各扉の上下方向の長さが短くなるように各部の長さが規定されている。これにより、このロッカーでは、扉を閉めた状態において、扉の上辺と上側の棚板との間、および扉の下辺と下側の棚板との間に開口部がそれぞれ生じる結果、収納状態のスキー靴を好適に乾燥させることが可能となっている。
【０００３】
一方、実開昭６３−１０３３８２号公報に開示されている洗面化粧台のサイドキャビネット（以下、単に「キャビネット」ともいう）は、中棚によって上下方向に分離された２段の収納室が設けられると共に、両収納室の前面（正面側）を覆うようにしてネット扉（以下、単に「扉」ともいう）が開閉可能に取り付けられて、ベースキャビネットの上方に配設されている。この場合、このキャビネットでは、針金状の構成部材によって扉の全体が網状に形成されている。これにより、このキャビネットでは、扉を閉めた状態において、十分な通気性が確保されると共に、両収納室内に収納した物品を視認することが可能となっている。
【先行技術文献】
【特許文献】
【０００４】
【特許文献１】実開平６−２１４３３号公報（第４−５頁、第１−７図）
【特許文献２】実開昭６３−１０３３８２号公報（第３−７頁、第１−２図）
【発明の概要】
【発明が解決しようとする課題】
【０００５】
ところが、従来のロッカーおよびその扉や、従来のキャビネットおよびその扉には、以下の問題点が存在する。すなわち、従来のロッカーでは、収納状態のスキー靴を好適に乾燥させるために、扉を閉めた状態において扉の上下に大きな開口部がそれぞれ生じるように構成されている。この場合、従来のロッカーでは、上記の両開口部の大きさが、収納状態のスキー靴を取り出すことはできない程度に規定されているものの、収納空間内に手を差し入れたり、手と同程度の比較的大きな物品を収納空間内に侵入させたりするのに十分な大きさとなっている。したがって、従来のロッカーおよびその扉には、収納状態のスキー靴がいじられてこの物品が破損したり、空き缶等の大きなゴミが収納空間に捨て入れられたり、スキー靴の部品が収納空間から取り出されたりするおそれがある。
【０００６】
これに対して、従来のキャビネットでは、両収納室を覆うように形成された網状の扉を備えている。しかしながら、従来のキャビネットでは、扉の全体が針金状の構成部材によって形成されているため、その剛性を高くするのが困難となっている。このため、従来のキャビネットでは、仮に、キャビネット本体に対して扉を施錠可能に構成したとしても、扉を撓ませるようにして比較的容易に変形させることが可能となっている。したがって、従来のキャビネットでは、仮に、キャビネット本体に対して扉を施錠したとしても、扉を変形させることで大きな開口部を生させることができる結果、収納室内に収納されている物品がいじられてこの物品が破損したり、空き缶等の大きなゴミが収納室内に捨て入れられたり、収納室内から物品が取り出されたりするおそれがある。
【０００７】
本発明は、かかる問題点に鑑みてなされたものであり、通気性や収納状態の物品の視認性を低下させることなく、収納状態の物品がいじられる事態、意図しない物品が侵入させられる事態、および収納状態の物品が取り出される事態を好適に阻止し得る収納棚用扉および収納棚を提供することを主目的とする。
【課題を解決するための手段】
【０００８】
上記目的を達成すべく請求項１記載の収納棚用扉は、収納棚の棚本体に対して開閉可能に取り付けられる収納棚用扉であって、金属製の網板で構成された扉本体と、金属板を折曲げ加工して形成されると共に前記扉本体の左端部に取り付けられて当該収納棚用扉における左側の小口を構成する左小口構成部材と、金属板を折曲げ加工して形成されると共に前記扉本体の右端部に取り付けられて当該収納棚用扉における右側の小口を構成する右小口構成部材とを備えて、前記左小口構成部材、前記扉本体および前記右小口構成部材が正面視において左側からこの順で並んだ状態で一体化され、前記左小口構成部材および前記右小口構成部材は、取付け状態において前記扉本体における当該収納棚用扉の正面側に配置される正面パネルと、当該収納棚用扉の裏面側に向かって当該正面パネルの上辺から延出する上端面パネルと、前記裏面側に向かって当該正面パネルの下辺から延出する下端面パネルと、前記裏面側に向かって当該正面パネルの左辺から延出する左端面パネルと、前記裏面側に向かって当該正面パネルの右辺から延出する右端面パネルとをそれぞれ備えると共に、前記上端面パネルにおける前記裏面側の一辺には、前記正面パネルに対して平行な折返し部が下側に向かって延出するように設けられ、前記下端面パネルにおける前記裏面側の一辺には、前記正面パネルに対して平行な折返し部が上側に向かって延出するように設けられ、前記左端面パネルにおける前記裏面側の一辺には、前記正面パネルに対して平行な折返し部が右側に向かって延出するように設けられ、前記右端面パネルにおける前記裏面側の一辺には、前記正面パネルに対して平行な折返し部が左側に向かって延出するように設けられ、前記左小口構成部材は、前記上端面パネル、前記下端面パネルおよび前記左端面パネルにそれぞれ設けられた前記折返し部における前記正面側の表面と、前記右端面パネルに設けられた前記折返し部における前記裏面側の表面とが、前記扉本体の厚みと等しい距離だけ当該収納棚用扉の厚み方向に沿って離間するように、前記上端面パネル、前記下端面パネルおよび前記左端面パネルよりも前記右端面パネルが細幅に形成され、前記右小口構成部材は、前記上端面パネル、前記下端面パネルおよび前記右端面パネルにそれぞれ設けられた前記折返し部における前記正面側の表面と、前記左端面パネルに設けられた前記折返し部における前記裏面側の表面とが、前記扉本体の厚みと等しい距離だけ当該収納棚用扉の厚み方向に沿って離間するように、前記上端面パネル、前記下端面パネルおよび前記右端面パネルよりも前記左端面パネルが細幅に形成され、前記扉本体は、前記正面側に向かって折り曲げられた折曲げ部が前記左端部および前記右端部の双方にそれぞれ形成されると共に、前記左端部に形成されている前記折曲げ部の先端が、前記左小口構成部材の前記正面パネルにおける前記裏面側の表面に当接し、かつ、前記右端部に形成されている前記折曲げ部の先端が、前記右小口構成部材の前記正面パネルにおける前記裏面側の表面に当接するように構成されると共に、前記左小口構成部材の前記上端面パネル、前記下端面パネルおよび前記左端面パネルにそれぞれ設けられた前記折返し部と当該左小口構成部材の前記右端面パネルに設けられた前記折返し部との間に前記左端部を差し込まれた状態において当該右端面パネルに設けられた当該折返し部に対して固着され、かつ前記右小口構成部材の前記上端面パネル、前記下端面パネルおよび前記右端面パネルにそれぞれ設けられた前記折返し部と当該右小口構成部材の前記左端面パネルに設けられた前記折返し部との間に前記右端部を差し込まれた状態において当該左端面パネルに設けられた当該折返し部に対して固着されている。
【０００９】
また、請求項２記載の収納棚用扉は、請求項１記載の収納棚用扉において、前記扉本体は、前記左小口構成部材および前記右小口構成部材の間に位置する部位が前記正面側に向かって突出するように平面視凸状に形成されている。
【００１０】
さらに、請求項３記載の収納棚用扉は、収納棚の棚本体に対して開閉可能に取り付けられる収納棚用扉であって、金属製の網板で構成された扉本体と、金属板を折曲げ加工して形成されると共に前記扉本体の左端部に取り付けられて当該収納棚用扉における左側の小口を構成する左小口構成部材と、金属板を折曲げ加工して形成されると共に前記扉本体の右端部に取り付けられて当該収納棚用扉における右側の小口を構成する右小口構成部材とを備えて、前記左小口構成部材、前記扉本体および前記右小口構成部材が正面視において左側からこの順で並んだ状態で一体化され、前記左小口構成部材および前記右小口構成部材は、取付け状態において前記扉本体における当該収納棚用扉の正面側に配置される正面パネルと、当該収納棚用扉の裏面側に向かって当該正面パネルの上辺から延出する上端面パネルと、前記裏面側に向かって当該正面パネルの下辺から延出する下端面パネルと、前記裏面側に向かって当該正面パネルの左辺から延出する左端面パネルと、前記裏面側に向かって当該正面パネルの右辺から延出する右端面パネルとをそれぞれ備えると共に、前記上端面パネルにおける前記裏面側の一辺には、前記正面パネルに対して平行な折返し部が下側に向かって延出するように設けられ、前記下端面パネルにおける前記裏面側の一辺には、前記正面パネルに対して平行な折返し部が上側に向かって延出するように設けられ、前記左端面パネルにおける前記裏面側の一辺には、前記正面パネルに対して平行な折返し部が右側に向かって延出するように設けられ、前記右端面パネルにおける前記裏面側の一辺には、前記正面パネルに対して平行な折返し部が左側に向かって延出するように設けられ、前記左小口構成部材は、前記上端面パネル、前記下端面パネルおよび前記左端面パネルにそれぞれ設けられた前記折返し部における前記正面側の表面と、前記右端面パネルに設けられた前記折返し部における前記裏面側の表面とが、前記扉本体の厚みと等しい距離だけ当該収納棚用扉の厚み方向に沿って離間するように、前記上端面パネル、前記下端面パネルおよび前記左端面パネルよりも前記右端面パネルが細幅に形成され、前記右小口構成部材は、前記上端面パネル、前記下端面パネルおよび前記右端面パネルにそれぞれ設けられた前記折返し部における前記正面側の表面と、前記左端面パネルに設けられた前記折返し部における前記裏面側の表面とが、前記扉本体の厚みと等しい距離だけ当該収納棚用扉の厚み方向に沿って離間するように、前記上端面パネル、前記下端面パネルおよび前記右端面パネルよりも前記左端面パネルが細幅に形成され、前記扉本体は、前記左小口構成部材および前記右小口構成部材の間に位置する部位が前記正面側に向かって突出するように平面視凸状に形成されると共に、前記左小口構成部材の前記上端面パネル、前記下端面パネルおよび前記左端面パネルにそれぞれ設けられた前記折返し部と当該左小口構成部材の前記右端面パネルに設けられた前記折返し部との間に前記左端部を差し込まれた状態において当該右端面パネルに設けられた当該折返し部に対して固着され、かつ前記右小口構成部材の前記上端面パネル、前記下端面パネルおよび前記右端面パネルにそれぞれ設けられた前記折返し部と当該右小口構成部材の前記左端面パネルに設けられた前記折返し部との間に前記右端部を差し込まれた状態において当該左端面パネルに設けられた当該折返し部に対して固着されている。
【００１１】
また、請求項４記載の収納棚用扉は、収納棚の棚本体に対して開閉可能に取り付けられる収納棚用扉であって、金属製の網板で構成された扉本体と、金属板を折曲げ加工して形成されると共に前記扉本体の上端部に取り付けられて当該収納棚用扉における上側の小口を構成する上小口構成部材と、金属板を折曲げ加工して形成されると共に前記扉本体の下端部に取り付けられて当該収納棚用扉における下側の小口を構成する下小口構成部材とを備えて、前記上小口構成部材、前記扉本体および前記下小口構成部材が正面視において上側からこの順で並んだ状態で一体化され、前記上小口構成部材および前記下小口構成部材は、取付け状態において前記扉本体における当該収納棚用扉の正面側に配置される正面パネルと、当該収納棚用扉の裏面側に向かって当該正面パネルの上辺から延出する上端面パネルと、前記裏面側に向かって当該正面パネルの下辺から延出する下端面パネルと、前記裏面側に向かって当該正面パネルの左辺から延出する左端面パネルと、前記裏面側に向かって当該正面パネルの右辺から延出する右端面パネルとをそれぞれ備えると共に、前記上端面パネルにおける前記裏面側の一辺には、前記正面パネルに対して平行な折返し部が下側に向かって延出するように設けられ、前記下端面パネルにおける前記裏面側の一辺には、前記正面パネルに対して平行な折返し部が上側に向かって延出するように設けられ、前記左端面パネルにおける前記裏面側の一辺には、前記正面パネルに対して平行な折返し部が右側に向かって延出するように設けられ、前記右端面パネルにおける前記裏面側の一辺には、前記正面パネルに対して平行な折返し部が左側に向かって延出するように設けられ、前記上小口構成部材は、前記上端面パネル、前記左端面パネルおよび前記右端面パネルにそれぞれ設けられた前記折返し部における前記正面側の表面と、前記下端面パネルに設けられた前記折返し部における前記裏面側の表面とが、前記扉本体の厚みと等しい距離だけ当該収納棚用扉の厚み方向に沿って離間するように、前記上端面パネル、前記左端面パネルおよび前記右端面パネルよりも前記下端面パネルが細幅に形成され、前記下小口構成部材は、前記下端面パネル、前記左端面パネルおよび前記右端面パネルにそれぞれ設けられた前記折返し部における前記正面側の表面と、前記上端面パネルに設けられた前記折返し部における前記裏面側の表面とが、前記扉本体の厚みと等しい距離だけ当該収納棚用扉の厚み方向に沿って離間するように、前記下端面パネル、前記左端面パネルおよび前記右端面パネルよりも前記上端面パネルが細幅に形成され、前記扉本体は、前記正面側に向かって折り曲げられた折曲げ部が前記上端部および前記下端部の双方にそれぞれ形成されると共に、前記上端部に形成されている前記折曲げ部の先端が、前記上小口構成部材の前記正面パネルにおける前記裏面側の表面に当接し、かつ、前記下端部に形成されている前記折曲げ部の先端が、前記下小口構成部材の前記正面パネルにおける前記裏面側の表面に当接するように構成されると共に、前記上小口構成部材の前記上端面パネル、前記左端面パネルおよび前記右端面パネルにそれぞれ設けられた前記折返し部と当該上小口構成部材の前記下端面パネルに設けられた前記折返し部との間に前記上端部を差し込まれた状態において当該下端面パネルに設けられた当該折返し部に対して固着され、かつ前記下小口構成部材の前記下端面パネル、前記左端面パネルおよび前記右端面パネルにそれぞれ設けられた前記折返し部と当該下小口構成部材の前記上端面パネルに設けられた前記折返し部との間に前記下端部を差し込まれた状態において当該上端面パネルに設けられた当該折返し部に対して固着されている。
【００１２】
また、請求項５記載の収納棚用扉は、請求項４記載の収納棚用扉において、前記扉本体は、前記上小口構成部材および前記下小口構成部材の間に位置する部位が前記正面側に向かって突出するように側面視凸状に形成されている。
【００１３】
さらに、請求項６記載の収納棚用扉は、収納棚の棚本体に対して開閉可能に取り付けられる収納棚用扉であって、金属製の網板で構成された扉本体と、金属板を折曲げ加工して形成されると共に前記扉本体の上端部に取り付けられて当該収納棚用扉における上側の小口を構成する上小口構成部材と、金属板を折曲げ加工して形成されると共に前記扉本体の下端部に取り付けられて当該収納棚用扉における下側の小口を構成する下小口構成部材とを備えて、前記上小口構成部材、前記扉本体および前記下小口構成部材が正面視において上側からこの順で並んだ状態で一体化され、前記上小口構成部材および前記下小口構成部材は、取付け状態において前記扉本体における当該収納棚用扉の正面側に配置される正面パネルと、当該収納棚用扉の裏面側に向かって当該正面パネルの上辺から延出する上端面パネルと、前記裏面側に向かって当該正面パネルの下辺から延出する下端面パネルと、前記裏面側に向かって当該正面パネルの左辺から延出する左端面パネルと、前記裏面側に向かって当該正面パネルの右辺から延出する右端面パネルとをそれぞれ備えると共に、前記上端面パネルにおける前記裏面側の一辺には、前記正面パネルに対して平行な折返し部が下側に向かって延出するように設けられ、前記下端面パネルにおける前記裏面側の一辺には、前記正面パネルに対して平行な折返し部が上側に向かって延出するように設けられ、前記左端面パネルにおける前記裏面側の一辺には、前記正面パネルに対して平行な折返し部が右側に向かって延出するように設けられ、前記右端面パネルにおける前記裏面側の一辺には、前記正面パネルに対して平行な折返し部が左側に向かって延出するように設けられ、前記上小口構成部材は、前記上端面パネル、前記左端面パネルおよび前記右端面パネルにそれぞれ設けられた前記折返し部における前記正面側の表面と、前記下端面パネルに設けられた前記折返し部における前記裏面側の表面とが、前記扉本体の厚みと等しい距離だけ当該収納棚用扉の厚み方向に沿って離間するように、前記上端面パネル、前記左端面パネルおよび前記右端面パネルよりも前記下端面パネルが細幅に形成され、前記下小口構成部材は、前記下端面パネル、前記左端面パネルおよび前記右端面パネルにそれぞれ設けられた前記折返し部における前記正面側の表面と、前記上端面パネルに設けられた前記折返し部における前記裏面側の表面とが、前記扉本体の厚みと等しい距離だけ当該収納棚用扉の厚み方向に沿って離間するように、前記下端面パネル、前記左端面パネルおよび前記右端面パネルよりも前記上端面パネルが細幅に形成され、前記扉本体は、前記上小口構成部材および前記下小口構成部材の間に位置する部位が前記正面側に向かって突出するように側面視凸状に形成されると共に、前記上小口構成部材の前記上端面パネル、前記左端面パネルおよび前記右端面パネルにそれぞれ設けられた前記折返し部と当該上小口構成部材の前記下端面パネルに設けられた前記折返し部との間に前記上端部を差し込まれた状態において当該下端面パネルに設けられた当該折返し部に対して固着され、かつ前記下小口構成部材の前記下端面パネル、前記左端面パネルおよび前記右端面パネルにそれぞれ設けられた前記折返し部と当該下小口構成部材の前記上端面パネルに設けられた前記折返し部との間に前記下端部を差し込まれた状態において当該上端面パネルに設けられた当該折返し部に対して固着されている。
【００１４】
また、請求項７記載の収納棚用扉は、請求項１から６のいずれかに記載の収納棚用扉において、前記扉本体の前記裏面側に板部材が取外し可能に取り付けられている。
【００１５】
また、請求項８記載の収納棚は、請求項１から７のいずれかに記載の収納棚用扉が前記棚本体に対して開閉可能に取り付けられている。
【発明の効果】
【００１６】
請求項１および３記載の収納棚用扉では、金属製の網板で構成された扉本体、金属板を折曲げ加工して形成されると共に扉本体の左端部に取り付けられて収納棚用扉における左側の小口を構成する左小口構成部材、および金属板を折曲げ加工して形成されると共に扉本体の右端部に取り付けられて収納棚用扉における右側の小口を構成する右小口構成部材を備え、扉本体が、左小口構成部材の上端面パネル、下端面パネルおよび左端面パネルにそれぞれ設けられた折返し部と左小口構成部材の右端面パネルに設けられた折返し部との間に左端部を差し込まれた状態において右端面パネルに設けられた折返し部に対して固着されると共に、右小口構成部材の上端面パネル、下端面パネルおよび右端面パネルにそれぞれ設けられた折返し部と右小口構成部材の左端面パネルに設けられた折返し部との間に右端部を差し込まれた状態において左端面パネルに設けられた折返し部に対して固着されている。また、請求項８記載の収納棚は、上記の収納棚用扉が棚本体に対して開閉可能に取り付けられている。
【００１７】
したがって、請求項１および３記載の収納棚用扉、並びに請求項８記載の収納棚によれば、収納棚用扉を閉じることで棚本体における各収納領域の正面側の全域が収納棚用扉によって覆われた状態においても、網板で構成された扉本体の存在によって収納空間の内部と外部とが連通した状態が維持されるため、収納されている物品の視認性や、収納空間の通気性が損なわれる事態を招くことなく、収納空間内に手が差し入れられていじられたり、空き缶等の大きなゴミが収納空間内に捨て入れられたり、収納空間内から物品が取り出されたりする事態を好適に回避することができる。また、この収納棚用扉、および収納棚用扉を備えた収納棚によれば、扉本体の左端部および右端部に左小口構成部材および右小口構成部材をそれぞれ取り付けたことで、収納棚用扉の剛性が十分に高くなっているため、この収納棚用扉を変形させるようにして抉じ開けるのが困難となる結果、この点においても、収納空間内に手が差し入れられていじられたり、空き缶等の大きなゴミが収納空間内に捨て入れられたり、収納空間内から物品が取り出されたりする事態を好適に回避することができる。さらに、この収納棚用扉、および収納棚用扉を備えた収納棚によれば、扉本体に引っ掛けたフックを利用して、収納棚用扉の正面側に物品を釣り下げることができるだけでなく、正面視において、左小口構成部材、扉本体および右小口構成部材が左側からこの順で並んだ収納棚用扉を有する非常に趣向性の高い収納棚を提供することができる。
【００１８】
また、請求項１記載の収納棚用扉、および請求項８記載の収納棚によれば、正面側に向かって折り曲げられた折曲げ部が左端部および右端部の双方にそれぞれ形成されると共に、左端部に形成されている折曲げ部の先端が、左小口構成部材の正面パネルにおける裏面側の表面に当接し、かつ、右端部に形成されている折曲げ部の先端が、右小口構成部材の正面パネルにおける裏面側の表面に当接するように扉本体を構成したことにより、左小口構成部材内において扉本体の左端部が正面パネルに向かって移動するように扉本体や左小口構成部材が変形したり、右小口構成部材内において扉本体の右端部が正面パネルに向かって移動するように扉本体や右小口構成部材が変形したりする事態を回避することができる。これにより、左小口構成部材や右小口構成部材に対して扉本体を固着する固着箇所の数を少なくすることができる結果、収納棚用扉の製造コストを十分に低減することができる。
【００１９】
さらに、請求項２および３記載の収納棚用扉、並びに請求項８記載の収納棚によれば、左小口構成部材および右小口構成部材の間が正面側に向かって突出するように平面視凸状に扉本体を形成したことにより、閉じた状態の収納棚用扉に物品を釣り下げた状態において、棚本体の棚板や収納棚用扉の左小口構成部材および右小口構成部材が邪魔となる事態を回避することができるため、この収納棚用扉を有する収納棚の利便性を十分に向上させることができる。
【００２０】
また、請求項４および６記載の収納棚用扉では、金属製の網板で構成された扉本体、金属板を折曲げ加工して形成されると共に扉本体の上端部に取り付けられて収納棚用扉における上側の小口を構成する上小口構成部材、および金属板を折曲げ加工して形成されると共に扉本体の下端部に取り付けられて収納棚用扉における下側の小口を構成する下小口構成部材を備え、扉本体が、上小口構成部材の上端面パネル、左端面パネルおよび右端面パネルにそれぞれ設けられた折返し部と上小口構成部材の下端面パネルに設けられた折返し部との間に上端部を差し込まれた状態において下端面パネルに設けられた折返し部に対して固着されると共に、下小口構成部材の下端面パネル、左端面パネルおよび右端面パネルにそれぞれ設けられた折返し部と下小口構成部材の上端面パネルに設けられた折返し部との間に下端部を差し込まれた状態において上端面パネルに設けられた折返し部に対して固着されている。また、請求項８記載の収納棚は、上記の収納棚用扉が棚本体に対して開閉可能に取り付けられている。
【００２１】
したがって、請求項４および６記載の収納棚用扉、並びに請求項８記載の収納棚によれば、収納棚用扉を閉じることで棚本体における各収納領域の正面側の全域が収納棚用扉によって覆われた状態においても、網板で構成された扉本体の存在によって収納空間の内部と外部とが連通した状態が維持されるため、収納されている物品の視認性や、収納空間の通気性が損なわれる事態を招くことなく、収納空間内に手が差し入れられていじられたり、空き缶等の大きなゴミが収納空間内に捨て入れられたり、収納空間内から物品が取り出されたりする事態を好適に回避することができる。また、この収納棚用扉、および収納棚用扉を備えた収納棚によれば、扉本体の上端部および下端部に上小口構成部材および下小口構成部材をそれぞれ取り付けたことで、収納棚用扉の剛性が十分に高くなっているため、この収納棚用扉を変形させるようにして抉じ開けるのが困難となる結果、この点においても、収納空間内に手が差し入れられていじられたり、空き缶等の大きなゴミが収納空間内に捨て入れられたり、収納空間内から物品が取り出されたりする事態を好適に回避することができる。さらに、この収納棚用扉、および収納棚用扉を備えた収納棚によれば、扉本体に引っ掛けたフックを利用して、収納棚用扉の正面側に物品を釣り下げることができるだけでなく、正面視において、上小口構成部材、扉本体および下小口構成部材が上側からこの順で並んだ収納棚用扉を有する非常に趣向性の高い収納棚を提供することができる。
【００２２】
また、請求項４記載の収納棚用扉、および請求項８記載の収納棚によれば、正面側に向かって折り曲げられた折曲げ部が上端部および下端部の双方にそれぞれ形成されると共に、上端部に形成されている折曲げ部の先端が、上小口構成部材の正面パネルにおける裏面側の表面に当接し、かつ、下端部に形成されている折曲げ部の先端が、下小口構成部材の正面パネルにおける裏面側の表面に当接するように扉本体を構成したことにより、上小口構成部材内において扉本体の上端部が正面パネルに向かって移動するように扉本体や上小口構成部材が変形したり、下小口構成部材内において扉本体の下端部が正面パネルに向かって移動するように扉本体や下小口構成部材が変形したりする事態を回避することができる。これにより、上小口構成部材や下小口構成部材に対して扉本体を固着する固着箇所の数を少なくすることができる結果、収納棚用扉の製造コストを十分に低減することができる。
【００２３】
さらに、請求項５および６記載の収納棚用扉、並びに請求項８記載の収納棚によれば、上小口構成部材および下小口構成部材の間に位置する部位が正面側に向かって突出するように側面視凸状に扉本体を形成したことにより、閉じた状態の収納棚用扉に物品を釣り下げた状態において、棚本体の棚板や収納棚用扉の左小口構成部材および右小口構成部材が邪魔となる事態を回避することができるため、この収納棚用扉を有する収納棚の利便性を十分に向上させることができる。
【００２４】
また、請求項７記載の収納棚用扉、および請求項８記載の収納棚によれば、扉本体の裏面側に板部材を取外し可能に取り付けたことにより、収納空間内の視認性を損ないたくない場合には、光透過性を有する板部材を扉本体に取り付け、収納空間内の物品を視認されたくない場合には、不透明な板部材を扉本体に取り付けることで、埃や小さなゴミの侵入を好適に回避することができる。また、ゴミ等の侵入を回避する必要がないときには、扉本体から板部材を取り外して、その通気性や視認性を確保することができる。
【図面の簡単な説明】
【００２５】
【図１】扉１の正面図である。
【図２】図１におけるＡ−Ａ線断面図である。
【図３】扉１の背面図である。
【図４】図３におけるＢ−Ｂ線断面図である。
【図５】扉１における扉本体２の正面図である。
【図６】図５におけるＣ−Ｃ線断面図である。
【図７】扉１における左小口構成部材３および右小口構成部材４の背面図である。
【図８】図７におけるＤ−Ｄ線断面図である。
【図９】左小口構成部材３を裏面側から見た外観斜視図である。
【図１０】右小口構成部材４を裏面側から見た外観斜視図である。
【図１１】扉１の組立て方法について説明するための扉本体２、左小口構成部材３および右小口構成部材４の断面図である。
【図１２】扉１の組立て方法について説明するための扉本体２、左小口構成部材３および右小口構成部材４の他の断面図である。
【図１３】扉１Ａの断面図である。
【図１４】扉１Ｂの断面図である。
【図１５】ロッカー１００（１００Ａ，１００Ｂ）の正面図である。
【図１６】扉１Ｃの正面図である。
【図１７】図１ＣにおけるＧ−Ｇ線断面図である。
【図１８】扉１Ｃの背面図である。
【図１９】ロッカー１００Ｃの正面図である。
【発明を実施するための形態】
【００２６】
以下、収納棚用扉および収納棚の実施の形態について、添付図面を参照して説明する。
【００２７】
図１〜４に示す扉１は、収納棚用扉の一例である開き戸タイプの扉であって、図１５に示すように、ロッカー１００のロッカー本体１０１に対して開閉可能に取り付けられてロッカー本体１０１における各収納空間の前面開口部位を閉塞可能に構成されている。この場合、ロッカー１００は、収納棚の一例であって、左右両側板、天板、底板、背板、棚板および仕切り板の各板体が金属板によって形成されたロッカー本体１０１（棚本体の一例）と、複数の扉１（この例では、１２枚の扉１）とを備えて構成されている。また、図１〜４に示すように、扉１は、扉本体２、左小口構成部材３および右小口構成部材４を備えて正面視矩形状に形成されている。この場合、この扉１は、図１５に示すように、その左右方向の長さが、ロッカー本体１０１における各収納領域の左右方向の長さと等しく、かつ、その上下方向の長さが、ロッカー本体１０１における各収納領域の上下方向の長さと等しくなるように形成されている。
【００２８】
扉本体２は、図５，６に示すように、一例として、直径３ｍｍのステンレススチールの棒で構成された複数の横棒２１と、直径２ｍｍのステンレススチールの棒で構成された複数の縦棒２２とが格子状に組み合わされて、各横棒２１と各縦棒２２との交差部位が溶接された網板で構成されている。この場合、直径３ｍｍの横棒２１と直径２ｍｍの縦棒２２とを格子状に組み合わせて構成されたこの扉本体２では、その厚みが３＋２＝５ｍｍとなっている。また、この扉本体２では、後述するようにして、その左端部に取り付けられる左小口構成部材３を扉本体２に固定するためのねじ止め用ステー２３と、その右端部に取り付けられる右小口構成部材４を扉本体２に固定するためのねじ止め用ステー２３とが、一例として、上下方向で隣り合う横棒２１，２１の間に掛け渡された状態で両横棒２１，２１に溶接されている。
【００２９】
左小口構成部材３は、所定形状に打ち抜き加工した金属板を折り曲げて箱状に形成されると共に（「金属板を折曲げ加工して形成され」との構成）、図１〜４に示すように、扉本体２の左端部に取り付けられて扉１における左側の小口を構成する。この左小口構成部材３は、図７〜９に示すように、取付け状態において扉本体２における扉１の正面側に配置される正面パネル３１と、扉１の裏面側に向かって正面パネル３１の上辺から延出する上端面パネル３２と、裏面側に向かって正面パネル３１の下辺から延出する下端面パネル３３と、裏面側に向かって正面パネル３１の左辺から延出する左端面パネル３４と、裏面側に向かって正面パネル３１の右辺から延出する右端面パネル３５とを備えている。
【００３０】
また、この左小口構成部材３は、上端面パネル３２における裏面側の一辺に、正面パネル３１に対して平行な折返し部３２ａが下側に向かって延出するように設けられ、下端面パネル３３における裏面側の一辺に、正面パネル３１に対して平行な折返し部３３ａが上側に向かって延出するように設けられ、左端面パネル３４における裏面側の一辺に、正面パネル３１に対して平行な折返し部３４ａが右側に向かって延出するように設けられ、右端面パネル３５における裏面側の一辺に、正面パネル３１に対して平行な折返し部３５ａが左側に向かって延出するように設けられている。この場合、この左小口構成部材３では、折返し部３２ａ，３３ａ，３４ａにおける正面側の表面と、折返し部３５ａにおける裏面側の表面とが、扉本体２の厚みと等しい距離（本例では、５ｍｍ）だけ扉１の厚み方向に沿って離間するように、上端面パネル３２、下端面パネル３３および左端面パネル３４よりも右端面パネル３５が細幅に（扉１の厚み方向の長さが短く）形成されている。
【００３１】
さらに、この左小口構成部材３は、図７に示すように、上記の正面パネル３１に、ネームプレート取付け部１１（図１，３，４参照）を取り付けるための取付け用孔３１ａと、取っ手１２（図１，３参照）を取り付けるための取付け用孔３１ｂとが形成されている。この場合、本例の扉１に取り付けられているネームプレート取付け部１１は、一例として、樹脂材料で形成されている。また、本例の扉１に取り付けられている取っ手１２は、一例として、その主要部分が樹脂材料で形成されると共に、図示しないロック機構を施錠／解錠するためのキーシリンダが一体的に設けられている。この左小口構成部材３は、図７に示すように、後述するようにして扉本体２（ねじ止め用ステー２３）を左小口構成部材３にねじ止めするためのねじ孔３５ｂが上記の折返し部３５ａに形成されている。
【００３２】
一方、右小口構成部材４は、所定形状に打ち抜き加工した金属板を折り曲げて箱状に形成されると共に（「金属板を折曲げ加工して形成され」との構成）、図１〜４に示すように、扉本体２の右端部に取り付けられて扉１における右側の小口を構成する。この右小口構成部材４は、図７，８，１０に示すように、取付け状態において扉本体２における扉１の正面側に配置される正面パネル４１と、扉１の裏面側に向かって正面パネル４１の上辺から延出する上端面パネル４２と、裏面側に向かって正面パネル４１の下辺から延出する下端面パネル４３と、裏面側に向かって正面パネル４１の左辺から延出する左端面パネル４４と、裏面側に向かって正面パネル４１の右辺から延出する右端面パネル４５とを備えている。
【００３３】
また、この右小口構成部材４は、上端面パネル４２における裏面側の一辺に、正面パネル４１に対して平行な折返し部４２ａが下側に向かって延出するように設けられ、下端面パネル４３における裏面側の一辺に、正面パネル４１に対して平行な折返し部４３ａが上側に向かって延出するように設けられ、左端面パネル４４における裏面側の一辺に、正面パネル４１に対して平行な折返し部４４ａが右側に向かって延出するように設けられ、右端面パネル４５における裏面側の一辺に、正面パネル４１に対して平行な折返し部４５ａが左側に向かって延出するように設けられている。この場合、この右小口構成部材４では、折返し部４２ａ，４３ａ，４５ａにおける正面側の表面と、折返し部４４ａにおける裏面側の表面とが、扉本体２の厚みと等しい距離（本例では、５ｍｍ）だけ扉１の厚み方向に沿って離間するように、上端面パネル４２、下端面パネル４３および右端面パネル４５よりも左端面パネル４４が細幅に（扉１の厚み方向の長さが短く）形成されている。
【００３４】
さらに、この右小口構成部材４は、図７に示すように、後述するようにして扉本体２（ねじ止め用ステー２３）を右小口構成部材４にねじ止めするためのねじ孔４４ｂが上記の折返し部４４ａに形成されている。また、この右小口構成部材４は、図２，４，８に示すように、この扉１をロッカー本体１０１（図１５参照）に対して開閉可能に取り付けるための一対の軸部材１０（図１，３参照）を挿通可能な挿通用孔４２ｂ，４３ｂが上記の上端面パネル４２および下端面パネル４３にそれぞれ形成されている。
【００３５】
この扉１では、図５，６に示すように、扉本体２の左端部および右端部の双方に正面側に向かって折り曲げられた折曲げ部２１ａがそれぞれ形成されている。この場合、図２，４に示すように、両折曲げ部２１ａは、左小口構成部材３および右小口構成部材４を扉本体２に取り付けた状態において、左端部に形成されている折曲げ部２１ａの先端が、左小口構成部材３の正面パネル３１における裏面側の表面に当接し、かつ、右端部に形成されている折曲げ部２１ａの先端が、右小口構成部材４の正面パネル４１における裏面側の表面に当接するようにその長さ（折り曲げ長さ）が規定されている。なお、本例の扉１では、前述した取っ手１２の装着の妨げとなる部位の横棒２１が、その他の横棒２１よりも短尺に形成されている。
【００３６】
この扉１は、図２，４に示すように、左小口構成部材３の折返し部３２ａ，３３ａ，３４ａと折返し部３５ａとの間に扉本体２の左端部を差し込まれた状態において、扉本体２（ねじ止め用ステー２３）が折返し部３５ａにねじ止めされると共に、右小口構成部材４の折返し部４２ａ，４３ａ，４５ａと折返し部４４ａとの間に扉本体２の右端部を差し込まれた状態において、扉本体２（ねじ止め用ステー２３）が折返し部４４ａにねじ止めされている。
【００３７】
具体的には、この扉１の組立てに際しては、図１１に示すように、まず、上端面パネル３２の折返し部３２ａおよび下端面パネル３３の折返し部３３ａと、右端面パネル３５の折返し部３５ａとの間に扉本体２の左端部に形成された折曲げ部２１ａの先端部を差し込むようにして、左小口構成部材３を扉本体２に対して矢印Ｅ１の向きに移動させると共に、上端面パネル４２の折返し部４２ａおよび下端面パネル４３の折返し部４３ａと、左端面パネル４４の折返し部４４ａとの間に扉本体２の右端部に形成された折曲げ部２１ａの先端部を差し込むようにして、右小口構成部材４を扉本体２に対して矢印Ｅ１の向きに移動させる。なお、同図では、左小口構成部材３および右小口構成部材４の下端部側を図示しているため、上端面パネル３２，４２（折返し部３２ａ，４２ａ）は図示されていない。
【００３８】
次いで、右端面パネル３５と折返し部３５ａとの角部を軸にして左小口構成部材３を扉本体２に対して矢印Ｅ２の向きに回動させると共に、左端面パネル４４と折返し部４４ａとの角部を軸にして右小口構成部材４を扉本体２に対して矢印Ｅ２の向きに回動させる。この際には、図１２に示すように、扉本体２の左端部に形成された折曲げ部２１ａの先端が左小口構成部材３の正面パネル３１における裏面側の表面に当接すると共に、扉本体２の右端部に形成された折曲げ部２１ａの先端が右小口構成部材４の正面パネル４１における裏面側の表面に当接する。続いて、左小口構成部材３および右小口構成部材４を扉本体２に対してそれぞれ矢印Ｆの方向でスライドさせて、図２，４に示すように、左小口構成部材３の左端面パネル３４における右側の表面（つまり、左端面パネル３４の裏面）に扉本体２の左端部を当接させると共に、右小口構成部材４の右端面パネル４５における左側の表面（つまり、右端面パネル４５の裏面）に扉本体２の右端部を当接させる。
【００３９】
次いで、扉本体２の各ねじ止め用ステー２３を挿通させた固定用ねじ（図３参照）を折返し部３５ａに形成されている各ねじ孔３５ｂ、および折返し部４４ａに形成されている各ねじ孔４４ｂにそれぞれねじ込むことにより、左小口構成部材３および右小口構成部材４に対して扉本体２を固着させる（固定する）。この後、左小口構成部材３の正面パネル３１にネームプレート取付け部１１や取っ手１２を取り付けることにより、扉１が完成する。なお、ネームプレート取付け部１１や取っ手１２の取り付けに際しては、扉本体２に対する左小口構成部材３の取り付けに先立って実行してもよい。
【００４０】
この場合、前述したように、この扉１は、その左右方向の長さが、ロッカー本体１０１における各収納領域の左右方向の長さと等しく、かつ、その上下方向の長さが、ロッカー本体１０１における各収納領域の上下方向の長さと等しくなるように形成されている。したがって、この扉１では、扉を閉めた状態において扉の上下に大きな開口部が生じる構成の従来のロッカーとは異なり、図１５に示すように、扉１を閉めた状態において各収納領域の正面側の全域（開口部の全域）が扉１によって覆われた状態となる。また、正面視において、左小口構成部材３、扉本体２および右小口構成部材４が左側からこの順で並ぶように構成されているこの扉１では、各収納領域の正面側の全域が扉１によって覆われた状態においても、網板で構成された扉本体２の存在により、収納空間の内部と外部とが連通した状態が維持される。
【００４１】
さらに、扉本体２の左端部および右端部に左小口構成部材３および右小口構成部材４が取り付けられて構成された扉１では、扉の全体が針金状の構成部材によって網状に形成された従来のキャビネットとは異なり、扉１の剛性が十分に高くなっている。また、この扉１では、扉本体２に引っ掛けたフック（図示せず）を利用して、扉１の正面側に物品を釣り下げることができる。加えて、この扉１では、扉全体を金属板等で構成した単調な扉（図示せず）とは異なり、正面視において、左小口構成部材３、扉本体２および右小口構成部材４が左側からこの順で並んだ扉１を有する非常に趣向性の高いロッカー１００を提供することが可能となっている。
【００４２】
このように、この扉１では、金属製の網板で構成された扉本体２、金属板を折曲げ加工して形成されると共に扉本体２の左端部に取り付けられて扉１における左側の小口を構成する左小口構成部材３、および金属板を折曲げ加工して形成されると共に扉本体２の右端部に取り付けられて扉１における右側の小口を構成する右小口構成部材４を備え、扉本体２が、左小口構成部材３の折返し部３２ａ，３３ａ，３４ａと折返し部３５ａとの間に左端部を差し込まれた状態において折返し部３５ａに対して固着される（この例では、ねじ止めされる）と共に、右小口構成部材４の折返し部４２ａ，４３ａ，４５ａと折返し部４４ａとの間に右端部を差し込まれた状態において折返し部４４ａに対して固着されている（この例では、ねじ止めされている）。また、このロッカー１００では、上記の扉１がロッカー本体１０１に対して開閉可能に取り付けられている。
【００４３】
したがって、この扉１、および扉１を備えたロッカー１００によれば、扉１を閉じることでロッカー本体１０１における各収納領域の正面側の全域が扉１によって覆われた状態においても、網板で構成された扉本体２の存在によって収納空間の内部と外部とが連通した状態が維持されるため、収納されている物品の視認性や、収納空間の通気性が損なわれる事態を招くことなく、収納空間内に手が差し入れられていじられたり、空き缶等の大きなゴミが収納空間内に捨て入れられたり、収納空間内から物品が取り出されたりする事態を好適に回避することができる。また、この扉１、および扉１を備えたロッカー１００によれば、扉本体２の左端部および右端部に左小口構成部材３および右小口構成部材４をそれぞれ取り付けたことで、扉１の剛性が十分に高くなっているため、この扉１を変形させるようにして抉じ開けるのが困難となる結果、この点においても、収納空間内に手が差し入れられていじられたり、空き缶等の大きなゴミが収納空間内に捨て入れられたり、収納空間内から物品が取り出されたりする事態を好適に回避することができる。さらに、この扉１、および扉１を備えたロッカー１００によれば、扉本体２に引っ掛けたフックを利用して、扉１の正面側に物品を釣り下げることができるだけでなく、正面視において、左小口構成部材３、扉本体２および右小口構成部材４が左側からこの順で並んだ扉１を有する非常に趣向性の高いロッカー１００を提供することができる。
【００４４】
また、この扉１、および扉１を備えたロッカー１００によれば、正面側に向かって折り曲げられた折曲げ部２１ａが左端部および右端部の双方にそれぞれ形成されると共に、左端部に形成されている折曲げ部２１ａの先端が、左小口構成部材３の正面パネル３１における裏面側の表面に当接し、かつ、右端部に形成されている折曲げ部２１ａの先端が、右小口構成部材４の正面パネル４１における裏面側の表面に当接するように扉本体２を構成したことにより、左小口構成部材３内において扉本体２の左端部が正面パネル３１に向かって移動するように扉本体２や左小口構成部材３が変形したり、右小口構成部材４内において扉本体２の右端部が正面パネル４１に向かって移動するように扉本体２や右小口構成部材４が変形したりする事態を回避することができる。これにより、左小口構成部材３や右小口構成部材４に対して扉本体２を固着する固着箇所（本例では、ねじ止め箇所）の数を少なくすることができる結果、扉１の製造コストを十分に低減することができる。
【００４５】
次に、収納棚用扉の他の形態について、図面を参照して説明する。なお、前述した扉１およびロッカー１００と同一の機能を有する構成要素については、同一の符号を付して重複する説明を省略する。
【００４６】
前述した扉１では、その扉本体２が、折曲げ部２１ａを除いてほぼ平坦に（平板状に）形成されている。したがって、この扉１では、扉本体２が左小口構成部材３や右小口構成部材４よりも奥まった位置に存在することとなる。このため、扉１を閉めた状態において、左小口構成部材３や右小口構成部材４の正面パネル３１，４１がロッカー本体１０１の棚板における正面側端面に対して面一となるように扉１をロッカー本体１０１に取り付けた場合に、棚板における正面側端面に対して扉本体２が奥まった位置に存在することとなる。この結果、扉本体２に対してフックなとを引っ掛けて物品を吊す際に、ロッカー本体１０１の棚板や扉１の左小口構成部材３および右小口構成部材４などが邪魔となる可能性もある。
【００４７】
これに対して、図１３に示す扉１Ａでは、上記の扉１における扉本体２に代えて、左小口構成部材３および右小口構成部材４の間が正面側に向かって突出するように平面視凸状に形成された扉本体２ａを備えて構成されている。この扉１Ａの扉本体２ａでは、一例として、扉本体２ａの左端部および右端部に左小口構成部材３および右小口構成部材４を取り付けた状態で、この左小口構成部材３および右小口構成部材４の間に位置する部位において各横棒２１が左小口構成部材３の正面パネル３１や右小口構成部材４の正面パネル４１よりも正面側に突出するように形成されている。したがって、この扉１Ａの扉本体２ａに対してフックなとを引っ掛けて物品を吊す際に、ロッカー１００Ａ（図１５参照）のロッカー本体１０１における棚板や、扉１Ａの左小口構成部材３および右小口構成部材４などが邪魔となる事態が回避される。なお、横棒２１が正面パネル３１，４１から突出しない程度に扉本体を凸状に形成した場合（例えば、図１４に示す扉１Ｂの扉本体２ｂ参照）においても、前述した扉本体２と比較して、棚板や左小口構成部材３および右小口構成部材４が邪魔となる事態は十分に改善される。
【００４８】
一方、上記の扉１，１Ａでは、左小口構成部材３と右小口構成部材４との間の扉本体２，２ａの存在によって、収納空間の内部と外部とが連通した状態となっている。このため、埃や小さなゴミが収納空間内に侵入することがある。また、収納空間内の物品を視認されたくないときもある。この点に関し、図１４に示す扉１Ｂでは、扉本体２ｂの裏面側に、樹脂板５（「板部材」の一例）を取外し可能に取り付けることができるように構成されている。具体的には、この扉１Ｂの扉本体２ｂでは、上記の扉本体２ａと同様に扉本体２ｂが平面視凸状に形成されると共に、縦棒２２に取り付けた押さえ用横棒２４と縦棒２２との間に扉１Ｂの上方から樹脂板５を差し入れることができるように構成されている。これにより、この扉１Ｂを取り付けたロッカー１００Ｂ（図１５参照）の使用に際して、必要に応じて任意の樹脂板５を取り付け、また、不要なときには、樹脂板５を取り外すことが可能となっている。
【００４９】
このように、この扉１Ａ、および扉１Ａを備えたロッカー１００Ａによれば、左小口構成部材３および右小口構成部材４の間に位置する部位が正面側に向かって突出するように平面視凸状に扉本体２ａを形成したことにより、閉じた状態の扉１Ａに物品を釣り下げた状態において、ロッカー本体１０１の棚板や扉１Ａの左小口構成部材３および右小口構成部材４が邪魔となる事態を回避することができるため、この扉１Ａを有するロッカー１００Ａの利便性を十分に向上させることができる。
【００５０】
また、この扉１Ｂ、および扉１Ｂを備えたロッカー１００Ｂによれば、扉本体２ｂの裏面側に樹脂板５を取外し可能に取り付けたことにより、収納空間内の視認性を損ないたくない場合には、光透過性を有する樹脂板５を扉本体２ｂに取り付け、収納空間内の物品を視認されたくない場合には、不透明な樹脂板５を扉本体２ｂに取り付けることで、埃や小さなゴミの侵入を好適に回避することができる。また、ゴミ等の侵入を回避する必要がないときには、扉本体２ｂから樹脂板５を取り外して、その通気性や視認性を確保することができる。
【００５１】
続いて、収納棚用扉のさらに他の形態について、図面を参照して説明する。なお、前述した扉１，１Ａ，１Ｂおよびロッカー１００，１００Ａ，１００Ｂと同一の機能を有する構成要素については、同一の符号を付して重複する説明を省略する。
【００５２】
図１６〜１８に示す扉１Ｃは、収納棚用扉の他の一例である開き戸タイプの扉であって、図１９に示すように、ロッカー１００Ｃのロッカー本体１０１に対して開閉可能に取り付けられてロッカー本体１０１における各収納空間の前面開口部位を閉塞可能に構成されている。この場合、前述した扉１（１Ａ，１Ｂ）では、扉本体２（２ａ，２ｂ）の左端部および右端部に左小口構成部材３および右小口構成部材４が取り付けられて、正面視において左小口構成部材３、扉本体２（２ａ，２ｂ）および右小口構成部材４が左側からこの順で並ぶように構成されているのに対し、この扉１Ｃでは、扉本体２ｃの上端部および下端部に上小口構成部材６および下小口構成部材７が取り付けられて、正面視において上小口構成部材６、扉本体２ｃおよび下小口構成部材７が上側からこの順で並ぶように構成されている。この扉１Ｃは、前述した扉１（１Ａ，１Ｂ）と同様にして、図１９に示すように、その左右方向の長さが、ロッカー本体１０１における各収納領域の左右方向の長さと等しく、かつ、その上下方向の長さが、ロッカー本体１０１における各収納領域の上下方向の長さと等しくなるように形成されている。
【００５３】
扉本体２ｃは、図１６〜１８に示すように、複数の横棒２１と複数の縦棒２２とが格子状に組み合わされて、各横棒２１と各縦棒２２との交差部位が溶接された網板で構成されている。また、この扉本体２ｃでは、後述するようにして、その左端部に取り付けられる上小口構成部材６を扉本体２ｃに固定するためのねじ止め用ステー２３と、その右端部に取り付けられる下小口構成部材７を扉本体２ｃに固定するためのねじ止め用ステー２３とが、一例として、左右方向で隣り合う縦棒２２，２２の間に掛け渡された状態で両縦棒２２，２２に溶接されている。
【００５４】
上小口構成部材６は、所定形状に打ち抜き加工した金属板を折り曲げて箱状に形成されると共に（「金属板を折曲げ加工して形成され」との構成）、扉本体２ｃの上端部に取り付けられて扉１Ｃにおける上側の小口を構成する。この上小口構成部材６は、取付け状態において扉本体２ｃにおける扉１Ｃの正面側に配置される正面パネル６１と、扉１Ｃの裏面側に向かって正面パネル６１の上辺から延出する上端面パネル６２と、裏面側に向かって正面パネル６１の下辺から延出する下端面パネル６３と、裏面側に向かって正面パネル６１の左辺から延出する左端面パネル６４と、裏面側に向かって正面パネル６１の右辺から延出する右端面パネル６５とを備えている。
【００５５】
また、この上小口構成部材６は、上端面パネル６２における裏面側の一辺に、正面パネル６１に対して平行な折返し部６２ａが下側に向かって延出するように設けられ、下端面パネル６３における裏面側の一辺に、正面パネル６１に対して平行な折返し部６３ａが上側に向かって延出するように設けられ、左端面パネル６４における裏面側の一辺に、正面パネル６１に対して平行な折返し部６４ａが右側に向かって延出するように設けられ、右端面パネル６５における裏面側の一辺に、正面パネル６１に対して平行な折返し部６５ａが左側に向かって延出するように設けられている。この場合、この上小口構成部材６では、折返し部６２ａ，６４ａ，６５ａにおける正面側の表面と、折返し部６３ａにおける裏面側の表面とが、扉本体２ｃの厚みと等しい距離（本例では、５ｍｍ）だけ扉１Ｃの厚み方向に沿って離間するように、上端面パネル６２、左端面パネル６４および右端面パネル６５よりも下端面パネル６３が細幅に（扉１の厚み方向の長さが短く）形成されている。
【００５６】
さらに、この上小口構成部材６は、図１８に示すように、上記の正面パネル６１に、ネームプレート取付け部１１（図１６参照）を取り付けるための取付け用孔６１ａが形成されている。また、この上小口構成部材６は、この扉１Ｃをロッカー本体１０１（図１９参照）に対して開閉可能に取り付けるための軸部材１０（図１６，１８参照）を挿通可能な挿通用孔（図示せず）が上記の上端面パネル６２に形成されている。さらに、この上小口構成部材６は、後述するようにして扉本体２ｃ（ねじ止め用ステー２３）を上小口構成部材６にねじ止めするためのねじ孔（図示せず）が上記の折返し部６３ａに形成されている。
【００５７】
一方、下小口構成部材７は、所定形状に打ち抜き加工した金属板を折り曲げて箱状に形成されると共に（「金属板を折曲げ加工して形成され」との構成）、扉本体２ｃの下端部に取り付けられて扉１Ｃにおける下側の小口を構成する。この下小口構成部材７は、図１６〜１８に示すように、取付け状態において扉本体２ｃにおける扉１Ｃの正面側に配置される正面パネル７１と、扉１Ｃの裏面側に向かって正面パネル７１の上辺から延出する上端面パネル７２と、裏面側に向かって正面パネル７１の下辺から延出する下端面パネル７３と、裏面側に向かって正面パネル７１の左辺から延出する左端面パネル７４と、裏面側に向かって正面パネル７１の右辺から延出する右端面パネル７５とを備えている。
【００５８】
また、この下小口構成部材７は、上端面パネル７２における裏面側の一辺に、正面パネル７１に対して平行な折返し部７２ａが下側に向かって延出するように設けられ、下端面パネル７３における裏面側の一辺に、正面パネル７１に対して平行な折返し部７３ａが上側に向かって延出するように設けられ、左端面パネル７４における裏面側の一辺に、正面パネル７１に対して平行な折返し部７４ａが右側に向かって延出するように設けられ、右端面パネル７５における裏面側の一辺に、正面パネル７１に対して平行な折返し部７５ａが左側に向かって延出するように設けられている。この場合、この下小口構成部材７では、折返し部７３ａ，７４ａ，７５ａにおける正面側の表面と、折返し部７２ａにおける裏面側の表面とが、扉本体２ｃの厚みと等しい距離（本例では、５ｍｍ）だけ扉１Ｃの厚み方向に沿って離間するように、下端面パネル７３、左端面パネル７４および右端面パネル７５よりも上端面パネル７２が細幅に（扉１の厚み方向の長さが短く）形成されている。
【００５９】
さらに、この下小口構成部材７は、図１８に示すように、上記の正面パネル７１に、ロック機構１３（図１６参照）を取り付けるための取付け用孔７１ａが形成されている。この場合、本例のロック機構１３は、カードキー１３ａを備えて構成されている。このカードキー１３ａは、施錠状態においてロック機構１３からの取外しが許容されると共に、解錠状態においてロック機構１３からの取外しが阻止されて扉１Ｃを開け閉めするための「取っ手」として機能するように構成されている。また、この下小口構成部材７は、この扉１Ｃをロッカー本体１０１（図１９参照）に対して開閉可能に取り付けるための軸部材１０（図１６，１８参照）を挿通可能な挿通用孔（図示せず）が上記の下端面パネル７３に形成されている。さらに、この下小口構成部材７は、後述するようにして扉本体２ｃ（ねじ止め用ステー２３）を下小口構成部材７にねじ止めするためのねじ孔（図示せず）が上記の折返し部７２ａに形成されている。
【００６０】
この扉１Ｃでは、図１７に示すように、扉本体２ｃの上端部および下端部の双方に正面側に向かって折り曲げられた折曲げ部２２ａがそれぞれ形成されている。この場合、両折曲げ部２２ａは、上小口構成部材６および下小口構成部材７を扉本体２ｃに取り付けた状態において、上端部に形成されている折曲げ部２２ａの先端が、上小口構成部材６の正面パネル６１における裏面側の表面に当接し、かつ、下端部に形成されている折曲げ部２２ａの先端が、下小口構成部材７の正面パネル７１における裏面側の表面に当接するようにその長さ（折り曲げ長さ）が規定されている。なお、本例の扉１Ｃでは、前述したロック機構１３の装着の妨げとなる部位の縦棒２２が、その他の縦棒２２よりも短尺に形成されている。
【００６１】
この扉１Ｃは、上小口構成部材６の折返し部６２ａ，６４ａ，６５ａと折返し部６３ａとの間に扉本体２ｃの上端部を差し込まれた状態において、扉本体２ｃ（ねじ止め用ステー２３）が折返し部６３ａにねじ止めされると共に、下小口構成部材７の折返し部７３ａ，７４ａ，７５ａと折返し部７２ａとの間に扉本体２ｃの下端部を差し込まれた状態において、扉本体２ｃ（ねじ止め用ステー２３）が折返し部７２ａにねじ止めされている。なお、この扉１Ｃの組立て方法については、前述した扉１の組立て方法と同様のため、その説明を省略する。
【００６２】
この場合、前述したように、この扉１Ｃは、その左右方向の長さが、ロッカー本体１０１における各収納領域の左右方向の長さと等しく、かつ、その上下方向の長さが、ロッカー本体１０１における各収納領域の上下方向の長さと等しくなるように形成されている。したがって、この扉１Ｃでは、扉を閉めた状態において扉の上下に大きな開口部が生じる構成の従来のロッカーとは異なり、図１９に示すように、扉１Ｃを閉めた状態において各収納領域の正面側の全域（開口部の全域）が扉１Ｃによって覆われた状態となる。また、正面視において、上小口構成部材６、扉本体２ｃおよび下小口構成部材７が上側からこの順で並ぶように構成されているこの扉１Ｃでは、各収納領域の正面側の全域が扉１Ｃによって覆われた状態においても、網板で構成された扉本体２ｃの存在により、収納空間の内部と外部とが連通した状態が維持される。
【００６３】
さらに、扉本体２ｃの上端部および下端部に上小口構成部材６および下小口構成部材７が取り付けられて構成された扉１Ｃでは、扉の全体が針金状の構成部材によって網状に形成された従来のキャビネットとは異なり、扉１Ｃの剛性が十分に高くなっている。また、この扉１Ｃでは、扉本体２ｃに引っ掛けたフック（図示せず）を利用して、扉１Ｃの正面側に物品を釣り下げることができる。加えて、この扉１Ｃでは、扉全体を金属板等で構成した単調な扉（図示せず）とは異なり、正面視において、上小口構成部材６、扉本体２ｃおよび下小口構成部材７が上側からこの順で並んだ扉１Ｃを有する非常に趣向性の高いロッカー１００Ｃを提供することが可能となっている。
【００６４】
このように、この扉１Ｃでは、金属製の網板で構成された扉本体２ｃ、金属板を折曲げ加工して形成されると共に扉本体２ｃの上端部に取り付けられて扉１Ｃにおける上側の小口を構成する上小口構成部材６、および金属板を折曲げ加工して形成されると共に扉本体２ｃの下端部に取り付けられて扉１Ｃにおける下側の小口を構成する下小口構成部材７を備え、扉本体２ｃが、上小口構成部材６の折返し部６２ａ，６４ａ，６５ａと折返し部６３ａとの間に上端部を差し込まれた状態において折返し部６３ａに対して固着される（この例では、ねじ止めされる）と共に、下小口構成部材７の折返し部７３ａ，７４ａ，７５ａと折返し部７２ａとの間に下端部を差し込まれた状態において折返し部７２ａに対して固着されている（この例では、ねじ止めされている）。また、このロッカー１００Ｃでは、上記の扉１Ｃがロッカー本体１０１に対して開閉可能に取り付けられている。
【００６５】
したがって、この扉１Ｃ、および扉１Ｃを備えたロッカー１００Ｃによれば、扉１Ｃを閉じることでロッカー本体１０１における各収納領域の正面側の全域が扉１Ｃによって覆われた状態においても、網板で構成された扉本体２ｃの存在によって収納空間の内部と外部とが連通した状態が維持されるため、収納されている物品の視認性や、収納空間の通気性が損なわれる事態を招くことなく、収納空間内に手が差し入れられていじられたり、空き缶等の大きなゴミが収納空間内に捨て入れられたり、収納空間内から物品が取り出されたりする事態を好適に回避することができる。また、この扉１Ｃ、および扉１Ｃを備えたロッカー１００Ｃによれば、扉本体２ｃの上端部および下端部に上小口構成部材６および下小口構成部材７をそれぞれ取り付けたことで、扉１Ｃの剛性が十分に高くなっているため、この扉１Ｃを変形させるようにして抉じ開けるのが困難となる結果、この点においても、収納空間内に手が差し入れられていじられたり、空き缶等の大きなゴミが収納空間内に捨て入れられたり、収納空間内から物品が取り出されたりする事態を好適に回避することができる。さらに、この扉１Ｃ、および扉１Ｃを備えたロッカー１００Ｃによれば、扉本体２ｃに引っ掛けたフックを利用して、扉１Ｃの正面側に物品を釣り下げることができるだけでなく、正面視において、上小口構成部材６、扉本体２ｃおよび下小口構成部材７が上側からこの順で並んだ扉１Ｃを有する非常に趣向性の高いロッカー１００Ｃを提供することができる。
【００６６】
また、この扉１Ｃ、および扉１Ｃを備えたロッカー１００Ｃによれば、正面側に向かって折り曲げられた折曲げ部２２ａが上端部および下端部の双方にそれぞれ形成されると共に、上端部に形成されている折曲げ部２２ａの先端が、上小口構成部材６の正面パネル６１における裏面側の表面に当接し、かつ、下端部に形成されている折曲げ部２２ａの先端が、下小口構成部材７の正面パネル７１における裏面側の表面に当接するように扉本体２ｃを構成したことにより、上小口構成部材６内において扉本体２ｃの上端部が正面パネル６１に向かって移動するように扉本体２ｃや上小口構成部材６が変形したり、下小口構成部材７内において扉本体２ｃの下端部が正面パネル７１に向かって移動するように扉本体２ｃや下小口構成部材７が変形したりする事態を回避することができる。これにより、上小口構成部材６や下小口構成部材７に対して扉本体２ｃを固着する固着箇所（本例では、ねじ止め箇所）の数を少なくすることができる結果、扉１Ｃの製造コストを十分に低減することができる。
【００６７】
なお、収納棚用扉、および収納棚の構成は、上記の扉１，１Ａ〜１Ｃの構成に限定されない。例えば、折曲げ部２２ａを除いてほぼ平坦に（平板状に）形成された扉本体２ｃを有する扉１Ｃについて説明したが、この扉本体２ｃに代えて、前述した扉本体２ａ，２ｂと同様にして、上小口構成部材６と下小口構成部材７との間に位置する部位を正面側に向かって突出させた側面視凸状の扉本体（図示せず）を採用することができる（図示せず）。また、そのように形成した扉本体の裏面側に樹脂板５を取外し可能に取り付けることもできる（図示せず）。このような構成を採用した扉においても、上記の扉１Ａ，１Ｂと同様の効果を奏することができる。
【００６８】
また、複数の横棒２１および複数の縦棒２２を格子状に組み合わせた網板で構成された扉本体２，２ａ〜２ｃを有する扉１，１Ａ〜１Ｃを例に挙げて説明したが、互いに交差する斜めの棒を格子状に組み合わせた網板（図示せず）によって「扉本体」を構成することもできる。さらに、左端部および右端部の双方に折曲げ部２１ａ，２１ａを形成した扉本体２，２ａ，２ｂや、上端部および下端部の双方に折曲げ部２２ａ，２２ａを形成した扉本体２ｃを有する扉１，１Ａ〜１Ｃを例に挙げて説明したが、「折曲げ部」が存在しない「扉本体」を備えて「収納棚用扉」を構成することもできる。このような構成を採用する場合においては、例えば、上記の扉１、１Ａ〜１Ｃにおけるねじ止め部位に加えて、「扉本体」の端部を、「左小口構成部材」や「右小口構成部材」にねじ止めすればよい。
【００６９】
また、「板部材」の一例としての樹脂板５を取外し可能に取り付けた例について説明したが、樹脂板５に代えて、金属板やガラス板などの各種の板部材を取外し可能に取り付けることができる。この場合、「板部材」として、細目のメッシュ板や連続気泡性樹脂板などを採用して、必要に応じて「扉本体」の裏面側に取り付けることにより、通気性を損なうことなく、小さなゴミ等の侵入を好適に回避することができる。さらに、「固着」の一例としてねじ止めを採用した例について説明したが、ねじ止めに代えて（或いは、ねじ止めに加えて）、溶接や接着などの各種方法によって「扉本体」を「左小口構成部材（上小口構成部材）」や「右小口構成部材（下小口構成部材）」に対して固着させる構成を採用することができる。加えて、開き戸タイプの扉１，１Ａ〜１Ｃを例に挙げて説明したが、収納棚用扉の構成はこれに限定されず、引き戸タイプの扉に対しても、本発明を適用することができるのは勿論である。
【符号の説明】
【００７０】
１，１Ａ〜１Ｃ  扉
２，２ａ〜２ｃ  扉本体
３  左小口構成部材
４  右小口構成部材
５  樹脂板
６  上小口構成部材
７  下小口構成部材
１０  軸部材
２１  横棒
２１ａ，２２ａ  折曲げ部
２２  縦棒
２３  ねじ止め用ステー
２４  押さえ用横棒
３１，４１，６１，７１  正面パネル
３１ａ，３１ｂ，６１ａ，７１ａ  取付け用孔
３２，４２，６２，７２  上端面パネル
３２ａ，３３ａ，３４ａ，３５ａ，４２ａ，４３ａ，４４ａ，４５ａ，６２ａ，６３ａ，６４ａ，６５ａ，７２ａ，７３ａ，７４ａ，７５ａ  折返し部
３３，４３，６３，７３  下端面パネル
３４，４４，６４，７４  左端面パネル
３５，４５，６５，７５  右端面パネル
３５ｂ，４４ｂ  ねじ孔
４２ｂ，４３ｂ  挿通用孔
１００，１００Ａ〜１００Ｃ  ロッカー
１０１  ロッカー本体
【図１】
0005756323.tif 000002
【図２】
0005756323.tif 000003
【図３】
0005756323.tif 000004
【図４】
0005756323.tif 000005
【図５】
0005756323.tif 000006
【図６】
0005756323.tif 000007
【図７】
0005756323.tif 000008
【図８】
0005756323.tif 000009
【図９】
0005756323.tif 000010
【図１０】
0005756323.tif 000011
【図１１】
0005756323.tif 000012
【図１２】
0005756323.tif 000013
【図１３】
0005756323.tif 000014
【図１４】
0005756323.tif 000015
【図１５】
0005756323.tif 000016
【図１６】
0005756323.tif 000017
【図１７】
0005756323.tif 000018
【図１８】
0005756323.tif 000019
【図１９】
0005756323.tif 000020